(57)【要約】  【課題】  複数のアンテナ素子から前記無線信号の送受信に用いるアンテナ素子を切り替え選択することによる，切り替えの効果を確実に得ることが可能であり，かつアンテナ素子の指向性を向上させることにより，工場内等の反射信号による干渉の影響が大きな環境でも，良好な前記無線信号の送受信を可能とするアンテナ装置を提供すること。  【解決手段】  同種の偏波に対応する２つのアンテナ素子ａ１及びｂ１，ａ１及びｂ２を，水平方向及び鉛直方向に互いに離間するように配置して支持する。また，所定の信号処理部対して，アンテナ素子ａ１による受信信号とアンテナ素子ｂ１による受信信号との合成信号が入力可能であるように，受信信号の信号伝送経路を形成する。【選択図】  図３
2007013802.tif 000002
【特許請求の範囲】
【請求項１】
同種の偏波に対応する複数のアンテナ素子からなるアンテナ素子群を備えたアンテナ装置であって，
前記アンテナ素子各々が水平方向及び鉛直方向において離間するよう前記アンテナ素子群を支持するアンテナ素子群支持手段と，
所定の信号処理手段と前記アンテナ素子各々との間の信号伝送経路の接続状態を，前記アンテナ素子のうちのいずれか１つに若しくは複数同時に接続される各状態の間で切り替える第１の信号経路切替手段と，
を具備してなることを特徴とするアンテナ装置。
【請求項２】
対応する偏波の種類が相互に異なる複数の前記アンテナ素子群とその各々に対応する複数の前記第１の信号経路切替手段とを具備し，
さらに前記信号処理手段に対する信号伝送経路の接続状態を複数の前記アンテナ素子群のうちのいずれか１つに接続される各状態の間で切り替える第２の信号経路切替手段を具備してなる請求項１に記載のアンテナ装置。
【請求項３】
前記アンテナ素子群支持手段が，所定平面において四角形をなす４箇所に，該四角形の対角となる箇所に同種の偏波に対応する前記アンテナ素子が配置されるよう複数の前記アンテナ素子群を支持してなる請求項２に記載のアンテナ装置。
【請求項４】
前記第１の信号経路切替手段により接続状態が切り替えられる信号経路ごとの前記アンテナ素子群による受信信号の強度を検知する信号強度検知手段と，
前記信号強度検知手段の検知結果に基づいて前記第１の信号経路切替手段若しくはこれと前記第２の信号経路切替手段とによる信号経路の切り替えを制御する経路切替制御手段と，
を具備してなる請求項１〜３のいずれかに記載のアンテナ装置。
【発明の詳細な説明】
【技術分野】
【０００１】
本発明は，無線信号を送受信するアンテナ装置に関するものであり，特に複数のアンテナ素子を用いて前記無線信号を送受信するアンテナ装置に関するものである。
【背景技術】
【０００２】
屋内，屋外の様々な環境において，情報の送受信を無線で行うことが可能なシステムとして，無線ＬＡＮ等の無線システムが知られている。前記無線システムは，アンテナ素子を有する複数のアンテナ装置間で，一方向若しくは双方向に前記情報が重畳された無線信号を送受信するシステムである。
前記無線システムにおいて，安定した前記無線信号の送受信を実現するためには，前記アンテナ装置で受信される前記無線信号の強度は出来るだけ高レベルであるのが望ましい。
ところで，高レベルな無線信号の受信を妨げる要因として，前記無線信号同士の干渉が挙げられる。つまり，送信側のアンテナ装置から受信側のアンテナ装置へと無線信号を送信する場合，無反射で直接的に前記受信側へと伝送される無線信号と，周囲の壁面などで反射して前記受信側へと伝送される無線信号とが干渉し合う。
【０００３】
例えば，図１に示すように，アンテナ装置Ｙ１からそれとは別のアンテナ装置Ｙ１へと無線信号を伝送する場合，直接の無線信号ＤＳ１に加えて壁面Ｗ１による反射信号ＲＳ１，壁面Ｗ２による反射信号ＲＳ２等が受信側の無線装置Ｙ１に受信される。それらの信号の位相が異なる場合には，それらの干渉の結果，干渉後の受信信号の強度が小さくなり，ときとして情報の送受信が不可能なレベルにまで干渉後の前記受信信号の強度が低下する。
また，金属物による反射時には，前記無線信号の減衰が殆ど生じないので，干渉による影響が大きくなりやすい。従って，金属物が多く設置される工場内等では，特に干渉による影響を被りやすく，無線システムを用いるのは困難とされていた。
そこで，工場内等でも良好な無線信号の伝送環境を得るための技術として，予め用意された複数のアンテナ素子を用いる技術（例えば，特許文献１，特許文献２等），更には現状の環境で前記無線信号の送受信に優れたアンテナ素子を選択する，いわゆるダイバシティアンテナ技術が知られている。
前記無線信号の位相は位置によって変化し，前記無線信号の干渉の度合いも同様である。従って，複数のアンテナ素子を用いた場合には，それぞれのアンテナ素子で受信される前記無線信号に対する干渉の度合いは異なるものと考えられる。言い換えると，アンテナ素子相互では干渉後の受信信号の強度に差が生じる。
そこで，前記無線信号を受信するアンテナ素子を順次切り替え，受信された干渉後の受信信号の強度が大きな一つのアンテナ素子を選択することにより，良好な前記無線信号の伝送が可能となる。
【特許文献１】特開２００４−３６４２６２号公報
【特許文献２】特開平１０−４３１３号公報
【発明の開示】
【発明が解決しようとする課題】
【０００４】
しかしながら，単に複数のアンテナ素子を用いたのでは，それらの位置各々に対する無線信号の干渉の度合いが異なるとは限らず，安定した無線信号の送受信を実現するには不十分である。というのも，床面，天井面で反射した無線信号による干渉を受けやすい環境では，同じ水平面内に位置するアンテナ素子に対しては反射信号の位相は相互で変わらず，干渉の度合いは同様であると考えられる。従って，いずれのアンテナ素子を用いても良好な前記無線進行の送受信が不可能である場合が生じるので，それらのアンテナ素子を切り替えることによる効果が何ら生じない。
また，従来例では，複数のアンテナ素子から一つのアンテナ素子を選択して前記無線信号の送受信に用いていたが，単独のアンテナ素子を用いた場合には，前記無線信号の受信時の指向性が小さくなる。つまり，様々な方向からの反射信号がその単独のアンテナ素子に入射し得るために，前記反射信号による干渉の影響を受けやすく，しばしば干渉後の受信信号の強度が通信不可能なレベルにまで減衰する場合もあった。
従って，本発明は上記事情に鑑みてなされたものであり，その目的とするところは，複数のアンテナ素子から前記無線信号の送受信に用いるアンテナ素子を切り替え選択することによる，切り替えの効果を確実に得ることが可能であり，かつアンテナ素子の指向性を向上させることにより，工場内等の反射信号による干渉の影響が大きな環境でも，良好な前記無線信号の送受信を可能とするアンテナ装置を提供することにある。
【課題を解決するための手段】
【０００５】
上記目的を達成するために本発明は，同種の偏波に対応する複数のアンテナ素子からなるアンテナ素子群と，前記アンテナ素子群を通じて無線伝送される信号の入力及び／若しくは出力を行う所定の信号処理手段とを備えたアンテナ装置であって，前記アンテナ素子各々が水平方向及び鉛直方向において離間するように前記アンテナ素子群を支持し，前記信号処理手段と前記アンテナ素子各々との間の信号伝送経路の接続状態を，前記アンテナ素子のうちのいずれか１つに若しくは複数同時に接続される各状態の中から切り替えることを特徴とするアンテナ装置として構成される。
尚，ここでいう同種の偏波とは，例えば偏波の向きが同じであること，若しくは偏波の回転方向が同じであることを指す。
通常建物内では，床面，天井面などの水平面，及び壁面等の鉛直面から反射信号が生じる。しかし，同じ偏波方向に対応する複数のアンテナ素子を鉛直方向及び水平方向に離間させて配置することにより， いずれの面で無線信号が反射した場合でも，アンテナ素子各々には位相違いの反射信号各々が到達すると考えられる。従って，アンテナ素子各々に対する前記反射信号と直接の無線信号との干渉の度合いは異なると考えられるので，干渉後の受信信号の強度が最も大きなアンテナ素子を選択して前記信号処理手段に接続することにより，良好な無線信号の送受信を行うことが可能である。
また，場合によっては，複数のアンテナ素子を同時に前記信号処理手段に接続する（つまり，複数のアンテナ素子を同時に用いて無線信号の送受信を行う）ことにより，アンテナの指向性を高めることが可能である。例えば，単独の前記アンテナ素子を用いた場合では，典型的には約±４５°の範囲の小さな指向性で無線信号の送受信が行われる。一方，例えば２つのアンテナ素子を同時に用いると，約±３０°の範囲の高い指向性で無線信号の送受信を行うことが可能である。
これにより，前記反射信号が入射可能な方向を制限することが可能であり，反射信号による干渉の影響を低減することが可能である。また，前記無線信号の送信に２つのアンテナ素子を用いる場合には，前記無線信号が伝搬される空間を絞り込むことが可能であり，例えば建物内のレイアウト変更等による環境変化の影響を極力抑えることが可能である。
【０００６】
ところで，アンテナ素子の種類が異なる複数のアンテナ素子群を有する場合には，各アンテナ素子群の中から前記信号処理手段との接続対象を選択することに加えて，接続対象のアンテナ素子群自体を選択することも必要である。つまり，例えば垂直方向に偏波している無線信号の送受信を行う場合には，垂直方向の偏波に対応するアンテナ素子が属するアンテナ素子群を選択し，前記信号処理手段に接続する必要がある。
尚，通常は縦方向の偏波，横方向の偏波に夫々対応する，或いは左回りの偏波の回転方向及び右回りの偏波の回転方向に夫々対応する２種類のアンテナ素子を用いれば無線信号の送受信には十分であると考えられる。また，その２種類のアンテナ素子を２つずつ用いる場合には，所定平面に置いて四角形をなす４箇所に，かつ同種のアンテナ素子を前記四角形の対角となる箇所に配置するように支持することが考えられる。これにより，合計４つのアンテナ素子について同種の偏波に対応するもの同士を水平方向及び鉛直方向に離間させつつ，コンパクトな配置を得ることができる。
ここで，前記信号処理手段と前記アンテナ素子各々との間の前記信号伝送経路の接続状態の切替は，該信号経路ごとの前記アンテナ素子による前記受信信号の強度を検知し，その結果に基づいて行うことが可能である。例えば最も干渉後の受信信号の強度が強くなった前記接続状態を選択するように行えば良い。
【発明の効果】
【０００７】
壁面などの鉛直面，床面及び天井面などの垂直面のいずれからの反射信号の影響を受けやすい工場のような環境であったとしても，本発明のように，複数のアンテナ素子を鉛直方向及び水平方向に離間させて配置することにより，アンテナ素子各々に位相違いの反射信号各々が到達させることが可能であり，各アンテナ素子で干渉の影響に差を付けることが可能である。これにより，干渉の影響が最も少ないアンテナ素子を選択して，信号処理手段に接続することにより，良好な無線信号の送受信を行うことが可能である。また，同種のアンテナ素子を同時に前記信号処理手段に接続することにより，アンテナ素子の指向性を高め，これにより反射信号による干渉の影響，建造物内のレイアウト変更などによる環境変化の影響を低減することが可能である。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は無線信号の干渉を説明する概念図，図２は本発明の一実施形態に係るアンテナ装置の概略構成図，図３は本発明の一実施形態に係るアンテナ装置の有するアンテナ素子の配置を表す斜視図，図４は本発明の一実施形態に係るアンテナ装置の有するスイッチ／合成／分配部の概念図，図５は本発明の一実施例に係るアンテナ装置の有するスイッチ／合成／分配部の概念図，図６は本発明の一実施例に係るアンテナ装置の有するアンテナ素子の配置を表す斜視図，図７は本発明の他の実施例に係るアンテナ装置の有するアンテナ素子の配置を表す斜視図である。
【０００９】
（１）本発明の一実施形態に係るアンテナ装置の概略について。
図１に示される，本発明の一実施形態に係るアンテナ装置Ｘ１は，無線ＬＡＮ等の無線システムで用いられる端末装置である。前記無線システムでは，本発明の一実施形態に係るアンテナ装置Ｘ１は複数用いられ，各々が建造物内などに据え付けられた状態で，それら相互間で無線信号の送受信が行われる。
前記アンテナ装置Ｘ１は，図１に示すように，直接の無線信号ＤＳ１に加えて，壁面Ｗ１による反射信号ＲＳ１，壁面Ｗ２による反射信号ＲＳ２が生じるような場合，例えば工場内などの環境であっても，良好な前記無線信号の送受信を可能とするものである。
【００１０】
以下，図２を参照しつつ，本発明の一実施形態に係るアンテナ装置Ｘ１の概略構成について説明する。
図２に示されるように，前記アンテナ装置Ｘ１は，各々２つ（複数の一例）のアンテナ素子を含むアンテナ素子群α１及びα２，該アンテナ素子群α１及びα２各々に対応する２つのスイッチ／合成／分配部１及び２，スイッチ３を有する接続状態切替部β，制御部γ，信号処理部δなどを有して概略構成される。
前記アンテナ素子群α１には２つのアンテナ素子ａ１，ｂ１が属する。それらのアンテナ素子ａ１，ｂ１同士は同種の偏波に対応するものであり，例えば縦方向の偏波或いは左旋回の偏波の無線信号を送受信可能とするものである。同様に，前記アンテナ素子群α２に属する２つのアンテナ素子ａ２，ｂ２同士も同種の偏波に対応しており，例えば横方向の偏波或いは右旋回の偏波の無線信号を送受信可能とするものである。つまり，アンテナ素子群α１とα２とでは，対応する偏波の種類が異なる。
前記アンテナ素子群α１（α２）に属する２つのアンテナ素子ａ１，ｂ１（ａ２，ｂ２）は，前記スイッチ／合成／分配部１（２）に接続されている。前記スイッチ／合成／分配部１（２）は，前記制御部γの制御に基づいて，前記アンテナ素子ａ１，ｂ１（ａ２，ｂ２）から前記スイッチ３へと受信信号を導く信号伝送経路の接続状態の切り替えを行うものであり，この点については後に詳述する。
【００１１】
また，前記スイッチ／合成／分配部１及び２は前記スイッチ３に接続されている。前記スイッチ３は，前記スイッチ／合成／分配部１及び２と前記信号処理部δとの間の信号伝送経路の接続状態を，前記スイッチ／合成／分配部１及び２のうちいずれか一方と，前記信号処理部δと，が接続される２つの状態の間で切り替えるものである。これは，前記無線信号の送受信に，前記アンテナ素子群α１を用いるか，前記アンテナ素子群α２を用いるか，の切り替えを意味するものである。
尚，前記スイッチ３による前記信号伝送経路の接続状態も，前記スイッチ／合成／分配部１及び２と同様に，前記制御部γの制御に基づいて行われる。前記スイッチ３が第２の信号切り替え手段の一例である。
また，前記スイッチ３は前記信号処理部δに接続されている。前記信号処理部δは，前記スイッチ３より入力された受信信号に対して種々の信号処理を施した後に，所定の出力部若しくは記憶部（不図示）に向けて伝送する。
【００１２】
（２）本発明の一実施形態に係るアンテナ装置におけるアンテナ素子の配置について。
図３に示されるように，前記アンテナ素子ａ１及びｂ１，ａ２及びｂ２は，フッ素樹脂などの絶縁体からなるアンテナ素子支持台４の一面（所定の平面）側に配置され，該アンテナ素子支持台４により各々支持される。この配置の規則は，本発明の一実施形態に係るアンテナ装置Ｘ１の第１の特徴点である。
具体的には，前記アンテナ素子支持台４の一面において四角形をなす４箇所に，前記アンテナ素子ａ１，ｂ１及びａ２，ｂ２各々が配置される。更に，その四角形の対角となる２箇所各々には，同種の偏波に対応するアンテナ素子同士，つまり前記アンテナ素子ａ１，ｂ１のペア，前記アンテナ素子ａ２，ｂ２のペアが配置される。
尚，前記アンテナ素子支持台４は，前記アンテナ装置Ｘ１が前記建造物内に据え付けられた状態で，前記一面が水平方向を向くように，前記アンテナ装置Ｘ１の本体部（不図示）に取り付けられている。これにより，前記アンテナ装置Ｘ１が前記建造物内に据え付けられた状態では，前記アンテナ素子群α１に属する前記アンテナ素子ａ１，ｂ１各々，前記アンテナ素子群α２に属する２つのアンテナ素子ａ２，ｂ２各々は，互いに水平方向及び鉛直方向において離間するように前記アンテナ素子支持台４に支持される。前記アンテナ素子支持台４がアンテナ素子群支持手段の一例である。
【００１３】
上述のようにアンテナ素子各々を配置することで，以下のような効果を奏する。即ち，通常の建造物では，無線信号は鉛直方向の壁面，水平方向の天井面若しくは床面等で反射されて受信側の前記アンテナ装置Ｘ１に到達し，直接の無線信号と干渉することが考えられる。
しかし，上記のアンテナ素子の配置により，水平面である天井面若しくは床面で反射信号（反射された無線信号）が生じる場合には，前記天井面若しくは床面との絶対距離が異なる前記アンテナ素子ａ１とｂ１と（同時に，ａ２とｂ２と）では，到達する前記反射信号の位相が異なる。同様に，直接の無線信号との干渉の度合いが異なり，前記アンテナ素子ａ１とｂ１と（ａ２とｂ２と）では干渉後の受信信号の強度に差が生じると考えられる。そこで，受信信号の強度が強い方のいずれかのアンテナ素子を用いることにより，良好な無線信号の送受信が可能である。
また，鉛直面である壁面で反射信号が生じる場合には，その壁面に対して前記アンテナ素子支持台４の前記一面が対向しないように，例えば前記壁面に対して垂直に前記アンテナ装置Ｘ１を配置すれば，壁面との絶対距離が前記アンテナ素子ａ１とｂ１とで異なるので，いずれかのアンテナ素子を用いれば良好な無線信号の送受信が可能である。
一方，図１のように，互いに直交する壁面１及び壁面２の両方で反射信号が生じるような場合には，前記壁面１の向きと前記壁面２の向きとの間の方向である，中間的な斜めの方向を前記アンテナ素子支持台４の前記一面が向くように前記アンテナ装置Ｘ１を据え付ければよい。
尚，各アンテナ素子では反射信号の位相が有意に異なるように，例えば前記アンテナ素子ａ１とａ２とを，かつ前記アンテナ素子ｂ１とｂ２とを，例えば無線信号の半波長分等に離間させて，前記アンテナ素子支持台４に配置することが望ましいと考えられる。
【００１４】
（３）本発明の一実施形態に係るアンテナ装置Ｘ１のスイッチ／合成／分配部及びそれに対する制御について。
図４は，本発明の一実施形態に係るアンテナ装置Ｘ１の有するスイッチ／合成／分配部１及び２の概念図である。以下，図４を参照しつつ，前記スイッチ／合成／分配部１及び２の概略構成について説明する。尚，以下の説明は前記スイッチ／合成／分配部１についてのものであるが，前記スイッチ／合成／分配部２に対しても同様である。
前記スイッチ／合成／分配部１は，２つの１：２の切替スイッチ５ａ，５ｂ，１：２の分配／合成器６，１：３の切替スイッチ７等からなるものである。前記２つの１：２の切替スイッチ５ａ，５ｂは，それぞれ前記アンテナ素子ａ１，ｂ１に接続されており，また，別の接続先を前記１：２の分配／合成器６と前記１：３の切替スイッチ７の中から選択することが可能である。一方，前記１：３の切替スイッチ切替７は前記スイッチ部３と接続されており，また，別の接続先を前記１：２の切替スイッチ５ａ，５ｂ，前記１：２の分配／合成器６の間から選択することが可能である。
【００１５】
このような構成により，前記スイッチ／合成／分配部１（第１の信号経路切替手段の一例，スイッチ／合成／分配部２も同様）は，前記アンテナ素子ａ１，ｂ１と前記スイッチ３との間の信号伝送経路の接続状態を，前記アンテナ素子ａ１，ｂ１のうちのいずれか１つと前記スイッチ３とが接続される状態，前記アンテナ素子ａ１，ｂ１の両方と前記スイッチ３とが同時に接続される状態の間で切り替えることが可能である。換言すると，前記アンテナ素子ａ１，ｂ１各々を用いる場合と，前記アンテナ素子ａ１，ｂ１の両方を同時に用いる場合と，を選択することが可能である。尚，両方のアンテナを同時に用いるのは，本発明の一実施形態に係るアンテナ装置Ｘ１の第２の特徴点である。
例えば，前記アンテナ素子ａ１のみを前記スイッチ部３に接続させるには，前記１：２の切替スイッチ５ａの接続先を前記１：３の切替スイッチ７にして，同時に前記１：３の切替スイッチ７の接続先を前記１：２の切替スイッチ５ａにすればよい。
また，前記アンテナ素子ａ１，ｂ１の両方と前記スイッチ３とが同時に接続させるには，前記１：２の切替スイッチ５ａ，５ｂの接続先を前記１：２の分配／合成器６にして，同時に前記１：３の切替スイッチ７の接続先も前記１：２の分配／合成器６にすればよい。これにより，前記アンテナ素子ａ１，ｂ１による受信信号が前記１：２の分配／合成器６により合成され，前記スイッチ３には合成後の合成信号が入力される。
尚，前記アンテナ素子ａ１，ｂ１の両方を同時に用いた場合には，それら２つのアンテナ素子による指向性が上昇するので，それらの片方を用いる場合よりも良好に前記無線信号の送受信を行い得る。
【００１６】
以下，前記制御部γによる，前記スイッチ／合成／分配部１及び２，前記スイッチ３を介しての，前記信号伝送経路の接続状態の切り替え制御について説明する。
前記信号処理回路δは，前記スイッチ３より入力された受信信号の強度を検知する機能を有する。また，前記制御部γは，前記信号処理回路δにより検知された前記受信信号の強度に基づいて，前記スイッチ／合成／分配部１及び２，前記スイッチ３を制御し，前記アンテナ素子群α１及びα２と前記信号処理回路δとの間の信号伝送経路の接続状態を切り替える。
詳しくは，例えば一時間に一度などの所定のタイミングで，前記制御部γは前記スイッチ／合成／分配部１及び２（第１の信号経路切替手段の一例），前記スイッチ３の制御を行い，
１．前記アンテナ素子ａ１のみによる受信信号，
２．前記アンテナ素子ｂ１のみによる受信信号，
３．前記アンテナ素子ａ１の受信信号と前記アンテナ素子ｂ１の受信信号との合成信号，
４．前記アンテナ素子ａ２のみによる受信信号，
５．前記アンテナ素子ｂ２のみによる受信信号，
６．前記アンテナ素子ａ２の受信信号と前記アンテナ素子ｂ２の受信信号との合成信号，
の合計６通りの前記信号伝送経路の接続状態による受信信号を，それぞれ前記信号処理回路δに順次入力させる。
また，前記信号処理回路δ（信号強度検知手段の一例）はそれら６通りの受信信号の強度を各々測定し，その結果を前記制御部γに入力する。前記制御部γ（経路切替制御手段の一例）は，前記信号処理回路δによる強度の測定結果に基づいて，今後は最も強度の大きな受信信号が入力された接続状態が得られるよう，前記スイッチ／合成／分配部１及び２，前記スイッチ３（第２の信号経路切替手段の一例）による接続状態の切り替えを行う。
以上，本実施形態に係るアンテナ装置Ｘ１によれば，同種の偏波に対応するアンテナ素子ａ１及びｂ１，ａ２及びｂ２を，互いに水平方向及び鉛直方向に離間することができるので，天井などの水平面及び壁面などの鉛直面の両方で反射信号が生じる場合にも，いずれかのアンテナ素子では良好な前記無線信号の送受信が可能であると考えられる。更に，前記アンテナ素子ａ１（ａ２）と前記アンテナ素子ｂ１（ｂ２）とを同時に用い，それらのアンテナ素子各々で受信された受信信号の合成信号を前記信号処理部δに入力し得るので，アンテナ素子群α１（α２）による指向性を高めることが可能であり，干渉の影響を低減することが可能である。
【実施例】
【００１７】
上述の実施形態では，スイッチ／合成／分配部１，２（図４参照）の有する１：２の切替スイッチ５ａ，５ｂには，それぞれアンテナ素子ａ１（又はａ２），ｂ１（又はｂ２）が１つずつ接続されている例について示したが，本発明はこれに限られるものではなく，より多くのアンテナ素子を接続することも可能である。
その一例として，図５に示されるように，アンテナ素子群α１に対するスイッチ／合成／分配部１’を構成することも可能である。
即ち，前記１：２の切替スイッチ５ａ，５ｂとアンテナ素子ａ１，ｂ１との間に，１：２の分配／合成器８（８ａ，８ｂ）を更に設け，２つのアンテナ素子ａ１，ｂ１による合成信号を前記切替スイッチ５ａ，５ｂ各々に入力させることも考えられる。
また，前記１：２の分配／合成器８（８ａ，８ｂ）の代わりに，１：２の切り替えスイッチを更に用いて，２つのアンテナ素子を選択することも可能である。
アンテナ素子群α２に対するスイッチ／合成／分配部２’についても同様である。
これらの場合には，合計８つのアンテナ素子が用いられる（即ち，ａ１，ａ２，ｂ１，ｂ２が２つずつ用いられる）。そのような合計８つのアンテナ素子の配置としては，例えば図６，図７のようなものが考えられる。
図６に示されるように，同じ前記１：２の切替スイッチに接続されている２つのアンテナ素子同士（それぞれ２つずつ用いられているａ１，ａ２，ｂ１，ｂ２同士）を，鉛直方向に並べて配置することが考えられる。また，図７に示されるように，同じ前記１：２の切替スイッチに接続されている２つのアンテナ素子同士（それぞれ２つずつ用いられているａ１，ａ２，ｂ１，ｂ２同士）を水平方向及び鉛直方向に離間させて配置することも考えられ，この場合には，反射信号による干渉の影響がより大きな環境に対する対応性が期待される。
【図面の簡単な説明】
【００１８】
【図１】無線信号の干渉を説明する概念図。
【図２】本発明の一実施形態に係るアンテナ装置の概略構成図。
【図３】本発明の一実施形態に係るアンテナ装置の有するアンテナ素子の配置を表す斜視図。
【図４】本発明の一実施形態に係るアンテナ装置の有するスイッチ／合成／分配部の概略構成図。
【図５】本発明の一実施例に係るアンテナ装置の有するスイッチ／合成／分配部の概念図。
【図６】本発明の一実施例に係るアンテナ装置の有するアンテナ素子の配置を表す斜視図。
【図７】本発明の他の実施例に係るアンテナ装置の有するアンテナ素子の配置を表す斜視図。
【符号の説明】
【００１９】
Ｘ１…本発明の一実施形態に係るアンテナ装置
Ｙ１…従来例に係るアンテナ装置
α１，α２…アンテナ素子群
ａ１，ａ２，ｂ１，ｂ２…アンテナ素子
β…接続状態切替部
γ…制御部
δ…信号処理部
１，２…スイッチ／合成／分配部
３…スイッチ
４…アンテナ素子支持台
５ａ，５ｂ…１：２の切替スイッチ
６…１：２の分配／合成器
７…１：３の切替スイッチ
【図１】
2007013802.tif 000003
【図２】
2007013802.tif 000004
【図３】
2007013802.tif 000005
【図４】
2007013802.tif 000006
【図５】
2007013802.tif 000007
【図６】
2007013802.tif 000008
【図７】
2007013802.tif 000009